(57)【要約】  本発明は電池（１００）を組み立てるための方法に関し、該方法は、アキュムレータ（２）のための少なくとも１つのスルーセルと、該セルから離れるとともに、供給チャネルを介して該セルの内壁の凹部と流体連通する少なくとも１つの接着剤注入オリフィスとを含むエンドプレート（１）を提供するステップと、前記セル（１０）内にアキュムレータ（２）を配置するステップと、注入オリフィス（１１）を介して接着剤（３）を注入するステップであって、該接着剤はチャネルを通って凹部（１２）まで流れ、前記アキュムレータ（２）は凹部（１２）に含まれる接着剤（３）によりエンドプレート（１）にボンディングされる、ステップとを含む。
2021522662.tif 000002
【特許請求の範囲】
【請求項１】
電池を組み立てるための方法であって、
アキュムレータのための少なくとも１つのスルーセルと、該セルから離れるとともに、供給チャネルを介して該セルの内壁の凹部と流体連通する少なくとも１つの接着剤注入オリフィスと、を含むエンドプレートを提供するステップと、
前記セル内にアキュムレータを配置するステップと、
前記注入オリフィスを介して接着剤を注入するステップであって、該接着剤は前記チャネルを通って前記凹部に流れ、前記アキュムレータは、前記凹部に含まれる該接着剤により前記エンドプレートにボンディングされる、ステップと、
を含む、方法。
【請求項２】
前記接着剤は、接着剤注入ポンプに接続されたカニューレを介して前記オリフィス内に注入される、請求項１に記載の方法。
【請求項３】
前記ポンプは、前記オリフィス内に所定量の接着剤が注入されるように制御される、請求項２に記載の方法。
【請求項４】
前記カニューレはロボットによって作動される、請求項２又は３に記載の方法。
【請求項５】
前記カニューレは円錐状の先端を有し、前記接着剤注入オリフィスは、前記オリフィス内に前記カニューレの末端部の挿入を案内することができる面取りされた入力部を有する、請求項２乃至４のいずれか一項に記載の方法。
【請求項６】
前記オリフィス及び前記カニューレの寸法は、前記末端部が前記オリフィス内に挿入された場合に、前記カニューレと前記オリフィスとの間で漏れ止めが確かになるように選択される、請求項５に記載の方法。
【請求項７】
前記凹部と前記エンドプレートの各側面の外側との間で流体連通が確実になるようにして注入の間に前記接着剤により排出される空気を逃がすことができるように、前記アキュムレータと前記セルの内壁との間に隙間が設けられている、請求項１乃至６のいずれか一項に記載の方法。
【請求項８】
前記エンドプレートの各セルは少なくとも２つの凹部を含み、該凹部のそれぞれに含まれる接着剤を介して各アキュムレータが前記エンドプレートにボンディングされるように、該凹部のそれぞれは、それぞれの供給チャネルを介してそれぞれの接着剤注入オリフィスに接続されている、請求項１乃至７のいずれか一項に記載の方法。
【請求項９】
前記エンドプレートの２つの隣接するセルに少なくとも２つのアキュムレータをボンディングするステップを含み、前記接着剤注入オリフィスは、前記接着剤を前記オリフィスに注入する間に、前記接着剤が各供給チャネルを通ってそれぞれの凹部に流れ込むように、それぞれの供給チャネルを介してそれぞれのセルの内壁の凹部と流体連通している、請求項１乃至８のいずれか一項に記載の方法。
【請求項１０】
前記オリフィス内に注入される接着剤の量は、前記オリフィスによって供給されるチャネルの数に応じて調整される、請求項９に記載の方法。
【請求項１１】
前記接着剤の注入の間、前記アキュムレータの端部は、整列ツールにより前記エンドプレートの一方の側に整列される、請求項９又は１０に記載の方法。
【請求項１２】
電池の少なくとも２つのアキュムレータを機械的に接続するためのエンドプレートであって、アキュムレータを受容するのに適した少なくとも１つのスルーセルと、該セルから離れるとともに、供給チャネルを介して該セルの内壁の凹部に流体連通された少なくとも１つの接着剤注入オリフィスとを含む、エンドプレート。
【請求項１３】
前記接着剤注入オリフィスは盲端を有し、前記供給チャネルは、前記オリフィスの側窓と前記セルの内壁にある前記凹部との間に延びる、請求項１２に記載のエンドプレート。
【請求項１４】
前記接着剤注入オリフィスは面取りされた入力部を含む、請求項１２又は１３に記載のエンドプレート。
【請求項１５】
互い違いに配置された複数のセルを含む、請求項１２乃至１４のいずれか一項に記載のエンドプレート。
【請求項１６】
行列状に整列された複数のセルを含む、請求項１２乃至１４のいずれか一項に記載のエンドプレート。
【請求項１７】
一群の隣接するセルから等距離に配置された少なくとも１つのオリフィスと、前記オリフィスを各セルの壁内のそれぞれの凹部に流体接続する複数の供給チャネルとを含む、請求項１５又は１６に記載のエンドプレート。
【請求項１８】
請求項１２乃至１７のいずれか一項に記載のエンドプレートにより互いに機械的に接続された複数のアキュムレータを含む電池であって、各アキュムレータは、各セルの少なくとも１つの凹部に含まれる接着剤により前記エンドプレートのセル内にボンディングされている、電池。
【請求項１９】
各アキュムレータは、前記セルの各凹部に含まれる接着剤に接触する電気絶縁シースを備える、請求項１８に記載の電池。
【発明の詳細な説明】
【技術分野】
【０００１】
本発明は電池を組み立てるための方法及び該方法により得られる電池に関する。
【背景技術】
【０００２】
電池を製造するためには、いくつかのアキュムレータを互いに機械的に接続し、十分な剛性をアセンブリに与えて、電池が製造、輸送及び使用の間に受ける機械的負荷に耐えることができるようにしなければならないことがしばしば必要となる。
【０００３】
アキュムレータをフレームに取り付け、このフレームをネジ止め、クリップ止め又ははんだ付けにより閉じることが知られている。この場合、フレームを閉じることにより、アキュムレータの固定及び経時的なアキュムレータの維持が保証される。
【０００４】
既知の代替案では、アキュムレータを互いに直接ボンディングするか又はそれぞれがアキュムレータを受容することを意図したセルを有するエンドプレートを介してボンディングすることを含む。第１の解決策は構造部分を追加しないため、軽量であるという利点がある。反対に、第２の解決策では、機械的な支持体として機能するエンドプレートは、電池の環境に耐えるような寸法を有するため、第１の解決策よりもはるかに機械的強度が大きい。
【０００５】
そのようなエンドプレートにアキュムレータをボンディングすることにより電池が組み立てられる場合、接着剤の塗布のために２つの可能性が主に存在する。第１の場合では、接着剤をアキュムレータに塗布し、そして、それらがエンドプレートの各セルに挿入される。第２の場合では、接着剤がセルの壁に塗布され、そしてアキュムレータが各セル内に挿入される。
【発明の概要】
【発明が解決しようとする課題】
【０００６】
両方の場合において、アキュムレータには、接着剤が全くない状態の領域、とりわけ、コンポーネント間で低い電気抵抗を確かなものにするために汚染されていない状態で維持しなければならない電気接点の領域が汚染される重大なリスクが存在する。
【０００７】
さらに、そのような接合方法は産業規模で実施するのにコストがかかるため自動化に適してない。
【０００８】
さらに、そのような接合方法では、アキュムレータとエンドプレートとの間の接着剤のレベルに空気が閉じ込まれやすい。さらに、航空宇宙用途のための電池の場合、電池は重大な気圧変動にさらされる。そのような気圧変動にさらされた空気は、アキュムレータとエンドプレートとの間の機械的接続を突然破損させ、アキュムレータの分離及び電池の機能性の喪失につながる。
【０００９】
本発明の目的は、上記の欠点を克服し、接着剤による電気接点領域の汚染を回避するとともに、自動化可能な電池を組み立てるための方法をデザインすることである。
【課題を解決するための手段】
【００１０】
この目的のために、本発明は電池を組み立てるための方法を提案し、当該方法は、
アキュムレータのための少なくとも１つのスルーセルと、該セルから離れるとともに、供給チャネルを介して該セルの内壁の凹部と流体連通する少なくとも１つの接着剤注入オリフィスと、を含むエンドプレートを提供するステップと、
前記セル内にアキュムレータを配置するステップと、
前記注入オリフィスを介して接着剤を注入するステップであって、該接着剤は前記チャネルを通って前記凹部に流れ、前記アキュムレータは、前記凹部に含まれる該接着剤により前記エンドプレートにボンディングされる、ステップと、
を含む。
【００１１】
前記接着剤は、接着剤注入ポンプに接続されたカニューレを介して前記オリフィス内に注入され得る。
【００１２】
前記ポンプは、前記オリフィス内に所定量の接着剤が注入されるように制御されることが有利である。
【００１３】
前記カニューレはロボットによって作動されることが有利である。
【００１４】
一実施形態によれば、前記カニューレは円錐状の先端を有し、前記接着剤注入オリフィスは、前記オリフィス内に前記カニューレの末端部の挿入を案内することができる面取りされた入力部を有する。
【００１５】
前記オリフィス及び前記カニューレの寸法は、前記末端部が前記オリフィス内に挿入された場合に、前記カニューレと前記オリフィスとの間で漏れ止めが確かになるように選択されることが好ましい。
【００１６】
有利な実施形態によれば、前記凹部と前記エンドプレートの各側面の外側との間で流体連通が確実になるようにして注入の間に前記接着剤により排出される空気を逃がすことができるように、前記アキュムレータと前記セルの内壁との間に隙間が設けられている。
【００１７】
一実施形態によれば、前記エンドプレートの各セルは少なくとも２つの凹部を含み、該凹部のそれぞれに含まれる接着剤を介して各アキュムレータが前記エンドプレートにボンディングされるように、該凹部のそれぞれは、それぞれの供給チャネルを介してそれぞれの接着剤注入オリフィスに接続されている。
【００１８】
一実施形態によれば、前記方法は、前記エンドプレートの２つの隣接するセルに少なくとも２つのアキュムレータをボンディングするステップを含み、前記接着剤注入オリフィスは、前記接着剤を前記オリフィスに注入する間に、前記接着剤が各供給チャネルを通ってそれぞれの凹部に流れ込むように、それぞれの供給チャネルを介してそれぞれのセルの内壁の凹部と流体連通している。
【００１９】
前記オリフィス内に注入される接着剤の量は、前記オリフィスによって供給されるチャネルの数に応じて調整されることが有利である。
【００２０】
一実施形態によれば、前記接着剤の注入の間、前記アキュムレータの端部は、整列ツールにより前記エンドプレートの一方の側に整列される。
【００２１】
本発明の別の目的は、前記方法の実施を可能にするエンドプレートに関する。エンドプレートは電池の少なくとも２つのアキュムレータを機械的に接続することを可能にし、アキュムレータを受容するのに適した少なくとも１つのスルーセルと、該セルから離れるとともに、供給チャネルを介して該セルの内壁の凹部に流体連通された少なくとも１つの接着剤注入オリフィスとを含む。
【００２２】
前記接着剤注入オリフィスは盲端を有し、前記供給チャネルは、前記オリフィスの側窓と前記セルの内壁にある前記凹部との間に延びることが有利である。
【００２３】
前記接着剤注入オリフィスは面取りされた入力部を含むことが有利である。
【００２４】
一実施形態によれば、エンドプレートは互い違いに配置された複数のセルを含む。
【００２５】
別の実施形態によれば、エンドプレートは行列状に整列された複数のセルを含む。
【００２６】
エンドプレートは、一群の隣接するセルから等距離に配置された少なくとも１つのオリフィスと、前記オリフィスを各セルの壁内のそれぞれの凹部に流体接続する複数の供給チャネルとを含むことが有利である。
【００２７】
本発明は、前記方法により組み立てられた電池にも関する。前記電池は、上述したようなエンドプレートにより互いに機械的に接続された複数のアキュムレータを含み、各アキュムレータは、各セルの少なくとも１つの凹部に含まれる接着剤により前記エンドプレートのセル内にボンディングされている。
【００２８】
一実施形態によれば、各アキュムレータは、前記セルの各凹部に含まれる接着剤に接触する電気絶縁シースを備える。
【図面の簡単な説明】
【００２９】
本発明の他の特徴及び利点は、添付の図面を参照と共に下記の詳細な説明から明らかになる。
【図１】図１は、一実施形態に係る、組み立て途中にある電池の斜視図であり、アキュムレータは柱状であり、行列に従って配置されている。
【図２】図２は、本発明の一実施形態に係るエンドプレートの部分断面図である。
【図３】図３Ａ及び図３Ｂは、接着剤の注入前及び後をそれぞれ示す、接着剤注入オリフィスのレベルにおける部分断面図である。
【図４】図４は、エンドプレートの主面に平行な平面における断面図であり、注入オリフィスの据え付けに応じた接着剤の供給を概略的に示す。
【図５】図５は、いくつかのセルに供給する接着剤注入オリフィスのレベルにおけるエンドプレートの部分断面図である。
【図６】図６は、本発明の一実施形態に係る電池の上面図であり、アキュムレータが円筒状で且つ互い違いに配置されている。
【図７】図７は、図６の電池の底面図である。
【図８】図８は、エンドプレートの周縁に位置するセルのレベルにおけるエンドプレートの底面図である。
【図９】図９は、エンドプレートの注入オリフィス内の定位置にある接着剤注入カニューラを示す。  同一の参照符号が異なる図面で用いられている場合は、同一の要素又は同じ機能を満たす要素を示す。
【発明を実施するための形態】
【００３０】
本発明は、例えば、リチウムイオン、ニッケルカドミウム（ＮｉＣｄ）、ニッケル金属水素化物（ＮｉＭＨ）等の任意の種類の電気化学アキュムレータに基づく電池の組立体に関する。
【００３１】
このような電池は、航空宇宙用途、とりわけ人工衛星に搭載されることが意図されている。そのため、電池は重大な振動条件及び高い気圧変動にされされるため、高い機械的強度が必要になる。
【００３２】
電池を形成するために、各アキュムレータはそれぞれのセル内でエンドプレートにボンディングされる。
【００３３】
エンドプレートは２つの主面を含み、２つの主面は主面と平行でない軸に沿って延在する複数の貫通セル（alveole  traversante）を含む。一実施形態によれば、エンドプレートは平行六面体の形状を有し得る。そして、セルの軸はエンドプレートの主面に対して垂直であることが有利である。
【００３４】
エンドプレートの高さ（すなわち、主面の間の距離であり、例えば、２０ｍｍ程度である）は各アキュムレータの高さよりも小さく、アキュムレータはエンドプレートの１つ又は２つの主面を越えて延在していてもよい。各セルの内壁は、接着剤を受容するのに適した少なくとも１つの凹部を含む。セルの形状はアキュムレータの形状に対応し、以下に示すように、アキュムレータの配置及び接着剤の通過を可能にする隙間を有する。
【００３５】
接着剤が注入されるのは、アキュムレータがエンドプレートに配置された後である。接着剤の注入は、各セルから離れるとともに供給チャネルを介して凹部に接続されるエンドプレートのオリフィスで行われ、エンドプレート内での接着剤の循環は制御され、とりわけアキュムレータの電気接点の領域の汚染が生じるリスクがない。
【００３６】
セルの配置は、隣接するセルの間の距離を最小限にするために、アキュムレータの形状（とりわけ円筒状又は柱状）に応じて有利に選択され、これは、エンドプレートの嵩を最小限にする効果もある。そのため、例えば、円筒状のアキュムレータの場合は、セルは互い違いに配置されることが有利であり、柱状のアキュムレータの場合は、セルは行列（de  lignes  et  de  colonnes）に配置されることが有利である。しかしながら、当業者であれば、アキュムレータの形状及びエンドプレート内の接着剤回路に応じてセルの任意の他の配置を選択できる。
【００３７】
組み立て方法は手動で実施することができるが、完全に自動化されたやり方で実施されることが有利である。
【００３８】
ボンディングの実施を可能にする機械が知られているため、ここでは詳細には説明しない。係る機械は、接着剤タンクと、タンクと流体連通する計量ポンプと、チューブによりポンプに接続される接着剤注入カニューレと、３つの軸に沿ってカニューレを変位するのに適したロボットとを含むことを単に示す。
【００３９】
用いられる接着剤は、エンドプレート及びアキュムレータの材料に応じて、機械的強度の仕様を満たすために前記記材料との十分な親和性を有するように本質的に選択される。一般に、この仕様は、電池の使用の温度範囲における耐振性に関する要件を含む。予想される引張強度は一般的に数百ニュートン程度である。
【００４０】
エンドプレートはアキュムレータのための機械的支持機能を実質的に有する。エンドプレートはプラスチック材料（例えば、限定されないが、ポリプロピレン、ポリエーテルイミド（ＰＥＩ）、ポリエーテルエーテルケトン（ＰＥＥＫ）、アクリロニトリルブタジエンスチレン（ＡＢＳ））で形成され得るか又は金属（例えば、限定されないが、アルミニウム、スチール、銅、マグネシウム）で形成され得る。エンドプレートは射出成形によって又は好適な材料のブロックを機械加工することにより又はその代わりに、積層造形技術（３Ｄ印刷ともいう）により製造され得る。
【００４１】
一実施形態によれば、アキュムレータは裸、すなわち、アキュムレータの外面は、セルの要素を包含する剛性シェルで構成される。このシェルは、ニッケルメッキが施されているか又は施されていないスチール、アルミニウム又はプラスチックで形成され得る。この場合、接着剤はエンドプレートの材料及びアキュムレータのシェルの材料に対して親和性がなければならない。
【００４２】
別の実施形態によれば、アキュムレータは、限定されないが、概してポリプロピレン、ポリ塩化ビニル（ＰＶＣ）、ポリオレフィン、ポリテトラフルオロエチレン（ＰＴＦＥ）等のプラスチック材料で形成された電気絶縁シースによって取り囲まれる。この場合、接着剤はエンドプレートの材料及びシースの材料と親和性がなければならない。しかしながら、振動強度試験の間、アセンブリの最も弱い要素はシース自体であり、接着剤ではないことが分かった。そのため、例えば、試験は、シースが破断する前に、接着剤が２００Ｎ程度の引張強度を有することを示した。
【００４３】
当業者は、市販されている接着剤及びエンドプレートのための考えられる材料の中から、所望の機械的強度を有するエンドプレート、接着剤及び（任意でシースを備える）アキュムレータの組み合わせを選ぶことができる。
【００４４】
非限定的な例として、接着剤はエポキシ接着剤又はビニル接着剤であり得る。
【００４５】
接着剤の粘度は、アキュムレータとセルの内壁との間で利用可能な隙間に応じて選択されることが有利である。一般に、この隙間が小さいほど接着剤の粘度は低くなり得る。反対に、この隙間が大きいほど接着剤の粘度は高くなり得る。
【００４６】
非限定的な例として、２０℃で動的粘度が１９０Ｐａ．ｓの接着剤は、アキュムレータとセルの内壁との間の０．０５ｍｍ〜０．７ｍｍの隙間に非常に適していることが分かった。本明細書において、隙間とはアキュムレータの外面とセルの内壁との距離を意味する。
【００４７】
ボンディングの実施のために、エンドプレートが水平位置に置かれる。すなわち、エンドプレートの２つの主面が水平面（本明細書において、「水平」という用語は、本方法が実施される建物の地面と平行であることを意味する）に延在する。アキュムレータは垂直位置にある。
【００４８】
アキュムレータは、アキュムレータの端面が支持される平板等の好適な整列ツールにより水平面に整列される。この整列により、異なるアキュムレータの電極を電気的に接続することを意図した電流コレクタの半田付けの良好な品質をとりわけ可能にする。
【００４９】
アキュムレータは、エンドプレートの上方に配置される平板（図示せず）と、各アキュムレータの下で垂直方向のスラストを上方にかけて、各アキュムレータの上面をプレートに対して接触させるスラスト手段とにより、水平面内に整列され得る。
【００５０】
あるいは、アキュムレータは、エンドプレートの下に配置された平板上に重力により静止することによって水平面内に整列され得る（後述のスラスト手段は不要である）。
【００５１】
図示の異なる実施形態では、接着剤は、エンドプレートの上から注入され、カニューレは実質的に垂直に方向付けられる。しかしながら、重力の影響は、注入オリフィスから各セルの壁の凹部までの接着剤の循環においてあまり重要ではないため、接着剤はエンドプレートの底部を介して注入されてもよい。
【００５２】
アキュムレータを整列することを意図する平板と同じ側で接着剤の注入が行われる場合、平板は、カニューレを通すためにエンドプレートの注入オリフィスに面する開口を有する。しかしながら、接着剤の注入は平板と反対側でも行われ得る。
【００５３】
全てのアキュムレータがエンドプレート内で適所に置かれると、ボンディングマシンのロボットは、エンドプレートの各注入オリフィスにカニューレを連続的に対向させる。そして、適切な量の接着剤が対応するオリフィスに注入され、供給チャネルを流れて１つ以上のセルの凹部に充填される。
【００５４】
接着剤は、接着剤の性質に応じて数分から数日程度の時間で硬化し、エポキシ接着剤の場合は２４時間で硬化することが好ましい。
【００５５】
アキュムレータが設けられたエンドプレートは、次に、電池の組み立ての他のステップ、とりわけ、アキュムレータを電気的に接続するための電流コレクタの半田付けで用いられ得る。
【００５６】
図１は組み立て途中の電池の斜視図である。
【００５７】
電池１００はエンドプレート１と、複数のアキュムレータ２とを含む。図示の実施形態ではアキュムレータ２は柱状である。
【００５８】
エンドプレートは上面１Ａ及び下面１Ｂを有し、上面１Ａ及び下面１Ｂはそれぞれと平行な平面に延在する。
【００５９】
各アキュムレータは、アキュムレータの同じ面（ここでは上面２Ａ）に２つの電極２０を有する。アキュムレータは、全てのアキュムレータの上面２１がエンドプレートの上面１Ａと平行な同一の平面内にあるように、互いに対して垂直方向に整列される。
【００６０】
アキュムレータのそれぞれは、行列に従ってエンドプレート１の（図２においてより良好に見ることができる）スルーセル１０内に配置される。このようにしてアキュムレータのコンパクトな構成が得られ、それにより、隣接するアキュムレータ間の距離が最小化される。一般に、隣接するアキュムレータ間の距離は数ｍｍ程度である。
【００６１】
エンドプレート１は複数の接着剤注入オリフィス１１をさらに含む。
【００６２】
各オリフィス１１は、接着剤の注入に用いられるカニューレの断面に対応する円形の断面を有することが好ましい。
【００６３】
とりわけ有利な方法では、各セルは４つのオリフィス１１に取り囲まれる。
【００６４】
図２は、アキュムレータのない状態の図１のエンドプレートの斜視図であり、図３Ａ及び図３Ｂは、それぞれ接着剤の注入前及び注入後を示す、図１の電池の接着剤注入オリフィスのレベルにおける部分断面図である。
【００６５】
各セル１０はその内壁１０Ｉに、各注入オリフィス１１と流体連通する凹部１２を含む。
【００６６】
注入オリフィス１１は、図９に示すようにカニューレの末端部を受容することを意図する入力部１Ａを有する。とりわけ有利な方法では、入力部１１Ａは面取りされており、カニューレの末端部がロボットによりオリフィス１１に正確に面するように配置されない場合に、オリフィス内への挿入を案内できる。さらに、この面取りされた入力部１１Ａは、円錐形であることが有利であるカニューレの末端部との漏れ止め接続を確実にできる。
【００６７】
注入オリフィスの入力部１１Ａと反対側の端部１１Ｂは、接着剤がエンドプレートを直接流れることがないように閉じている。
【００６８】
さらに、注入オリフィス１１はその側壁に、セルの凹部１２に出現する窓１３を含む。図示の実施形態では、各凹部は、オリフィスに対して実質的に接線方向にある円弧又は円形の形状を有する。この場合、オリフィス１１に注入される接着剤は、各窓１３を通じて各凹部１２に直接入る。そのため、供給チャネルは、窓１３の高さの上方にあるオリフィス１１の円筒部分であるとみなされる。しかしながら、供給チャネルが窓１３から凹部に延びる導管をさらに有するように、凹部がオリフィスから所定の距離の位置にあるようにすることも可能である。しかしながら、接着剤の経路上で過度に重大なヘッドロスが起こらないように、供給チャネルの全長を最小限にするように注意を払わなければならない。
【００６９】
凹部の断面は、とりわけエンドプレートの製造方法に応じて当業者により選択され得る。そのため、エンドプレートが機械加工によって製造される場合、円形の部分の断面は、エンドプレートの主面に対して垂直な方向に同じ直径のドリルを通過させることに対応するためとりわけ有利である。エンドプレートがプラスチック材料の射出により又は積層造形により製造される場合、当業者は、選択された技術で作られ得る任意の形状を選択し得る。
【００７０】
凹部の幅及び凹部の高さは、接着剤とアキュムレータとの間の接触面を実質的に定義する。この接触面は、エンドプレート内でのアキュムレータの良好な機械的強度を保証するのに十分な大きさのものが選択され、例えば、チャンネル当たり５ｍｍ×１４ｍｍ＝７０ｍｍ２の接触面は、シースの機械的強度よりも大きいエポキシ接着剤の機械的強度を得るのに十分である。
【００７１】
各凹部１２は、セルの内壁１０Ｉから延びる放射壁（radial  wall）により上方が区切られている。反対に、接着剤がアキュムレータに沿ってエンドプレートの下面の方に潜在的に流れ得るように、凹部は底部の方に区切られていない。しかしながら、注入される接着剤の量とその粘度を調整することにより、そのような流れを制限できる。凹部が下方で区切られていないことは、エンドプレートの製造上の制約（プラスチック材料の射出によって製造される場合には、型か取り出す可能性又は機械加工によって製造される場合にはドリルの通過）によりとりわけ影響する。区切られていないことの別の利点は、セル内に存在し接着剤によって排出される空気を容易に下方に逃がすことができる点である。
【００７２】
また、セルの壁１０Ｉとアキュムレータの外面との間に、数十から数百ミリメートルの隙間が有利に作られる。この隙間はアキュムレータの潜在的な寸法変動を吸収することができるだけでなく、接着剤によって排出される空気を上方に逃がすための通路の確保も可能にする。反対に、この通路の寸法及び接着剤の粘度を考えれば、接着剤は上方に流れにくい。
【００７３】
これらの構成のおかげで、接着剤とエンドプレート又はアキュムレータとの間に空気が閉じ込められるのが回避される。その結果、電池が大きな気圧変動にさらされても、例えば、人工衛星に搭載され、人工衛星を宇宙に放つことで突然気圧の低下が生じるような場合、ボンディング領域には空気が突然逃げ出し得るような気泡が何ら含まれていない。そのため、ボンディング強度は特に信頼性が高い。
【００７４】
図５に示すように、各セルの凹部１２の高さｈはエンドプレートの高さＨよりも小さい。Ｈとｈとの差は、セルの上部により接着剤がオーバーフローするのを回避できるような十分大きいものが選択されることが有利である。例えば、直径が１８ｍｍのアキュムレータの場合、Ｈとｈとの差は４ｍｍ以上でなければならないと考えられる。当業者は、アキュムレータの製造寸法公差及び使用される接着剤の粘度に応じて凹部及び隙間の寸法を調整できる。
【００７５】
ここで、図２〜図５におけるセル及び注入オリフィスの表示は、行列に配置される柱状のアキュムレータを受容するセルを含むエンドプレートに関連するが、凹部、注入オリフィス及び供給チャネルの設計に関する教示は、任意の他の種類のアキュムレータ及びエンドプレート内のセルの構成にも適用可能であることを明記する。
【００７６】
図１〜図５に示すエンドプレートの構成において、各注入オリフィス１１は、その据え付け場所に応じて、１、２又は４つのセルの近傍に位置する。さらに、各セルは、各隣接する注入オリフィスに面する凹部を含み、それぞれの供給チャネルを介してオリフィスに接続される。そのため、注入オリフィスは、供給するセルの凹部と同じ数の側面の窓１３を含む。
【００７７】
その結果、オリフィスは１つ以上のセルへの接着剤の注入を可能にし、全てのアキュムレータを一緒に接着するための接着剤の注入ステップの数を最小限できる。供給する凹部の数に応じて注入される接着剤の量を適合させることができる。そのため、ポンプは、カニューレが挿入される注入オリフィスに応じて接着剤の量が前記オリフィスにより供給される各凹部を充填するのに十分であるように、エンドプレートの設計に応じてプログラムされ得る。
【００７８】
さらに、アキュムレータは、いくつかの区別可能なボンディング領域を介して各セルに固定される。これにより、受ける応力を広げることでアキュムレータの機械的強度を高めることができるだけでなく、注入オリフィスが接着剤を受けない場合でも、他のボンディング領域を介してアキュムレータの強度が仕様を満たすのに十分となるように、特定の冗長性を確保できる。
【００７９】
図４に見られるように、各接着剤注入オリフィスの据え付け場所に従って、１、２又は４つのセルの凹部を供給し得る。これらの場合のそれぞれにおける接着剤の循環は矢印により概略的に示されているが、これらは、図の視認性の理由から一意的に供給チャネルよりも長く示されている。
【００８０】
しかしながら、１つの凹部からいくつかの凹部に供給するという事実は、供給チャネルに沿って接着剤によりカバーされる距離が十分に短い場合、すなわち、３〜最大で５ｍｍ程度である場合にのみ技術的に想定され得る。実際に、反対の場合では、接着剤によるヘッドロスによって、各凹部の正確な充填が妨げられるというリスクが存在する。そのため、２つ以上のセルに十分近い距離で注入オリフィスを設けることができない場合には、各セルの凹部に専用の注入オリフィスを設けることが好ましい。
【００８１】
図６〜図９は、アキュムレータを配置するための別のモードを示し、アキュムレータは円筒状であるとともに互い違いに配置されている。
【００８２】
この場合、それぞれのセルはその内壁に６つの凹部１２を含み、各セルの周囲に均等に配置された６つの接着剤注入オリフィス１１によって取り囲まれ、各凹部には、それぞれの注入オリフィスを介して接着剤が供給される。そのため、各アキュムレータは６つのボンディング領域によりエンドプレートに固定されている。なお、これらの６つの領域は、ボンディングの機械的強度の仕様に厳密に適合するために必要となる表面よりも大きい全表面を有することができるが、それらは凹部のうちの１つの充填が不十分及び／又はボンディング領域のうちの１つに不具合がある場合に特定の冗長性を保証する。
【００８３】
さらに、注入オリフィスが２つ又は３つのセルの間に位置する場合、注入オリフィスは、該セルのそれぞれに設けられる凹部から等距離の位置に配置される。そのため、供給チャネルの長さは各セルについて同一であり、全ての凹部をバランス良く充填することを確かなものにする。
【００８４】
注入オリフィス、凹部及び供給チャネルのデザインは前述のものと同様であるため、ここでは繰り返さない。
【００８５】
図８に見られるように、各接着剤注入オリフィスの据付け場所に従って、前記オリフィスは１、２又は３つのセルの凹部に供給できる。接着剤の循環は、これらのケースのそれぞれにおける接着剤の循環は矢印により概略的に示されているが、これらは、図の視認性の理由から、一意的に供給チャネルよりも長く示されている。
【００８６】
図９は、エンドプレートの注入オリフィスへのカニューレの配置を示す。
【００８７】
カニューレ４は、直径が数ミリメートル程度の円形断面が延長された形状を有し、円錐形の先端４０は接着剤出口端４１に向かって狭くなっている。
【００８８】
カニューレ４は一般的にはプラスチック材料で形成されているため、所定の可撓性を有する。
【００８９】
そのため、（図示しない）ロボットがカニューレを注入オリフィス１１と正確に対向するように配置しない場合でも、末端部４０と面取りされた入力部１１Ａとが協働して、カニューレ自体をオリフィス１１の中心に置くことができる。
【００９０】
さらに、末端部４０と入力部１１Ａの表面は相互に接触し、カニューレに対するエンドプレートの漏れ止めを確かなものにする。そのため、入力部１１Ａを介して接着剤が上昇するリスクが排除される。
【００９１】
末端部４０及び入力部１１Ａは、注入オリフィス内へのカニューレの貫通の深さが制限されることを確実にする。末端部４０及び入力部１１Ａは、カニューレがオリフィス内の定位置にある場合に、窓１３の全高にわたって接着剤が流れることができるようにするために、カニューレの端部４１が窓１３の上に位置するか又は窓１３の上端のレベルに位置するような寸法を有することが有利である。
【００９２】
そのため、これまで説明してきた発明は所定数の利点を有する。
【００９３】
一方で、電池の全体的な構造は比較的軽量である。アキュムレータを互いに直接組み立てたアセンブリと比べて、エンドプレートが追加の質量を加えるとしても、先行技術から知られるねじ込み式のエンドプレートのアセンブリよりも軽量である。
【００９４】
さらに、エンドプレートのデザインは、既知の解決策と比較して追加の利点を有する。
【００９５】
実際に、ボンディング法の自動化を容易にするのに役立つ。そのため、人件費が下がるため、低コストで電池を製造することが可能となる。
【００９６】
他方で、各アキュムレータはいくつかのボンデインンぐ領域（例えば、柱状のアキュムレータの場合には４つ、円筒状のアキュムレータの場合には６つ（当業者であれば、アキュムレータの幾何学的形状の関数として別の数を選択することができる)）によりエンドプレートに固定されるため、アキュムレータの機械的強度の高い信頼性が得られる。したがって、１つのボンディング領域に不具合があっても、他の領域がエンドプレートへのアキュムレータの固定を維持する。
【００９７】
最後に、本デザインは、各アキュムレータを保持するボンディング領域内に空気が閉じ込められるのを回避することができる。この利点は、真空下で空気の逃げることにより接合領域が劣化するリスクがないため、真空で（例えば、宇宙用途）用いることを意図する電池にとってとても大きい。
【図１】
2021522662.tif 000003
【図２】
2021522662.tif 000004
【図３Ａ】
2021522662.tif 000005
【図３Ｂ】
2021522662.tif 000006
【図４】
2021522662.tif 000007
【図５】
2021522662.tif 000008
【図６】
2021522662.tif 000009
【図７】
2021522662.tif 000010
【図８】
2021522662.tif 000011
【図９】
2021522662.tif 000012
【国際調査報告】
2021522662.tif 000013
2021522662.tif 000014
2021522662.tif 000015
2021522662.tif 000016